【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
画像形成部と、
前記画像形成部によって画像が形成されたシートを含むシート束を綴じる綴じユニットと、を有する画像形成装置であって、
前記綴じユニットは、
複数の凹凸が設けられた第１の面を有する第１部材と、
複数の凹凸が設けられた第２の面であって、前記第１部材の前記第１の面と共にシート束を挟んで綴じる第２の面を有する第２部材と、
前記第１部材と前記第２部材の少なくとも一方を回動中心を中心として回動自在に支持する支持部と、を備え、
前記第１の面は、前記第１の面の複数の凹凸の内の第１の凸部、第２の凸部及び第３の凸部について、前記第１の凸部の前記回動中心側の端と前記回動中心との間の第１の距離が、前記第２の凸部の前記回動中心側の端と前記回動中心との間の第２の距離より長く、かつ、前記第２の距離が、前記第３の凸部の前記回動中心側の端と前記回動中心との間の第３の距離より長くなるように構成されている、ことを特徴とする画像形成装置。
【請求項２】
画像形成部と、
前記画像形成部によって画像が形成されたシートを含むシート束を綴じる綴じユニットと、を有する画像形成装置であって、
前記綴じユニットは、
複数の凹凸が設けられた第１の面を有する第１部材と、
複数の凹凸が設けられた第２の面であって、前記第１部材の前記第１の面と共にシート束を挟んで綴じる第２の面を有する第２部材と、
前記第１部材と前記第２部材の少なくとも一方を回動中心を中心として回動自在に支持する支持部と、を備え、
前記第１の面は、前記第１の面の複数の凹凸の内の第１の凸部、第２の凸部及び第３の凸部が、いずれも所定方向に延び、かつ、前記第１の凸部、前記第２の凸部及び前記第３の凸部の各々の前記所定方向における中点を結んだ仮想線が、前記回動中心の軸線に対して傾斜するように構成されている、ことを特徴とする画像形成装置。
【請求項３】
前記第１の面は、前記第１の凸部の前記回動中心側の端と前記回動中心との間の第１の距離が、前記第２の凸部の前記回動中心側の端と前記回動中心との間の第２の距離より長く、かつ、前記第２の距離が、前記第３の凸部の前記回動中心側の端と前記回動中心との間の第３の距離より長くなるように構成されている、ことを特徴とする請求項２記載の画像形成装置。
【請求項４】
前記第１部材は、前記第１の面の複数の凹凸の前記回動中心側の端が前記回動中心の軸線方向に対して傾斜して並ぶように構成されている、ことを特徴とする請求項１乃至３のいずれか１項記載の画像形成装置。
【請求項５】
前記第１の面の複数の凹凸及び第２の面の複数の凹凸は、前記回動中心の軸線に対して傾斜した方向に延びている、ことを特徴とする請求項１乃至４のいずれか１項記載の画像形成装置。
【請求項６】
前記第１部材及び前記第２部材は、前記第１部材及び第２部材が互いに離れている状態では、前記第１の面及び前記第２の面の間隔が、前記回動中心に近い側が前記回動中心から遠い側よりも狭くなり、前記第１部材及び前記第２部材がシート束を綴じた状態にあるときには前記第１の面及び前記第２の面の間隔が等しくなるように、配置されている、ことを特徴とする請求項１乃至５のいずれか１項記載の画像形成装置。
【請求項７】
前記第１の凸部の前記回動中心側の端、前記第２の凸部の前記回動中心側の端及び前記第３の凸部の前記回動中心側の端を通る仮想線が、前記回動中心の軸線に対して傾斜している、ことを特徴とする請求項１乃至６のいずれか１項記載の画像形成装置。
【請求項８】
前記回動中心の軸線に沿った方向において、前記第１の凸部の前記回動中心側の端、前記第２の凸部の前記回動中心側の端及び前記第３の凸部の前記回動中心側の端が、この順に並んでいる、ことを特徴とする請求項１乃至７のいずれか１項記載の画像形成装置。
【請求項９】
前記第２の面は、前記第２の面の複数の凹凸の内の第４の凸部、第５の凸部及び第６の凸部について、前記第４の凸部の前記回動中心側の端と前記回動中心との間の第４の距離が、前記第５の凸部の前記回動中心側の端と前記回動中心との間の第５の距離より長く、かつ、前記第５の距離が、前記第６の凸部の前記回動中心側の端と前記回動中心との間の第６の距離より長くなるように構成されている、ことを特徴とする請求項１乃至８のいずれか１項記載の画像形成装置。
【請求項１０】
シートに画像を形成する画像形成部と、
前記画像形成部によってそれぞれ画像が形成された第１シート及び第２シートを含むシート束を綴じる綴じユニットと、を有する画像形成装置であって、
前記綴じユニットは、
第１部材と、
短辺及び前記短辺より長い長辺を有する矩形状の噛合い部を有し、前記矩形状の噛合い部により、前記第１部材と共に前記第１シートの第１部分及び前記第２シートの第２部分を噛み込むことで、前記第１部分及び前記第２部分を締結する第２部材と、
前記第１部材と前記第２部材の少なくとも一方を、回動中心を中心として回動自在に支持する支持部と、を備え、
前記矩形状の噛合い部は、前記長辺が前記回動中心の軸線に対して傾斜するように配置されている、ことを特徴とする画像形成装置。
【請求項１１】
前記第１部材には、複数の凹凸を有する第１凹凸部が設けられ、
前記第２部材の前記矩形状の噛合い部には、複数の凹凸を有する第２凹凸部が設けられ、
前記第１凹凸部の複数の凹凸及び前記第２凹凸部の複数の凹凸がシート束を挟むことでシート束が綴じられ、
前記第１凹凸部の複数の凹凸は、前記第１部材と前記第２部材とでシート束を挟む際に前記第１凹凸部のうちの一つの凸部が、前記第１凹凸部のうちの他の凸部とは異なるタイミングでシート束の変形を開始するように配置されている、ことを特徴とする請求項１０記載の画像形成装置。
【請求項１２】
前記第１部材は、前記第１凹凸部の複数の凹凸の前記回動中心側の端が、前記回動中心の軸線方向に対して傾斜して並ぶように構成されている、ことを特徴とする請求項１１記載の画像形成装置。
【請求項１３】
前記第１凹凸部及び第２凹凸部のそれぞれは、前記回動中心の軸線に対して傾斜した方向に沿って延びている、ことを特徴とする請求項１１又は１２記載の画像形成装置。
【請求項１４】
前記第１部材及び前記第２部材は、前記第１部材及び前記第２部材が互いに離れている状態では、前記第１凹凸部及び前記第２凹凸部の間隔が、前記回動中心に近い側が前記回動中心から遠い側よりも狭くなり、前記第１部材及び前記第２部材がシート束を綴じた状態にあるときには、前記第１凹凸部及び前記第２凹凸部の間隔が等しくなるように、配置されている、ことを特徴とする請求項１１乃至１３のいずれか１項記載の画像形成装置。
【請求項１５】
前記矩形状の噛合い部から前記回動中心までの前記回動中心の軸線に垂直な方向における距離は、前記回動中心の軸線に沿った方向における位置によって異なる、ことを特徴とする請求項１０乃至１４のいずれか１項記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、シートに画像を形成する画像形成装置に関する。
【手続補正４】
【補正対象書類名】明細書
【補正対象項目名】００１０
【補正方法】変更
【補正の内容】
【００１０】
そこで、本発明は、シート束を綴じる際に必要となる最大荷重を低減することが可能な画像形成装置を提供することを目的とするものである。
【手続補正５】
【補正対象書類名】明細書
【補正対象項目名】００１１
【補正方法】変更
【補正の内容】
【００１１】
本発明の一態様は、画像形成部と、前記画像形成部によって画像が形成されたシートを含むシート束を綴じる綴じユニットと、を有する画像形成装置であって、前記綴じユニットは、複数の凹凸が設けられた第１の面を有する第１部材と、複数の凹凸が設けられた第２の面であって、前記第１部材の前記第１の面と共にシート束を挟んで綴じる第２の面を有する第２部材と、前記第１部材と前記第２部材の少なくとも一方を回動中心を中心として回動自在に支持する支持部と、を備え、前記第１の面は、前記第１の面の複数の凹凸の内の第１の凸部、第２の凸部及び第３の凸部について、前記第１の凸部の前記回動中心側の端と前記回動中心との間の第１の距離が、前記第２の凸部の前記回動中心側の端と前記回動中心との間の第２の距離より長く、かつ、前記第２の距離が、前記第３の凸部の前記回動中心側の端と前記回動中心との間の第３の距離より長くなるように構成されている、ことを特徴とする。
【手続補正６】
【補正対象書類名】明細書
【補正対象項目名】００１２
【補正方法】変更
【補正の内容】
【００１２】
本発明の他の態様は、画像形成部と、前記画像形成部によって画像が形成されたシートを含むシート束を綴じる綴じユニットと、を有する画像形成装置であって、前記綴じユニットは、複数の凹凸が設けられた第１の面を有する第１部材と、複数の凹凸が設けられた第２の面であって、前記第１部材の前記第１の面と共にシート束を挟んで綴じる第２の面を有する第２部材と、前記第１部材と前記第２部材の少なくとも一方を回動中心を中心として回動自在に支持する支持部と、を備え、前記第１の面は、前記第１の面の複数の凹凸の内の第１の凸部、第２の凸部及び第３の凸部が、いずれも所定方向に延び、かつ、前記第１の凸部、前記第２の凸部及び前記第３の凸部の各々の前記所定方向における中点を結んだ仮想線が、前記回動中心の軸線に対して傾斜するように構成されている、ことを特徴とする。
また、本発明のさらに他の態様は、シートに画像を形成する画像形成部と、前記画像形成部によってそれぞれ画像が形成された第１シート及び第２シートを含むシート束を綴じる綴じユニットと、を有する画像形成装置であって、前記綴じユニットは、第１部材と、短辺及び前記短辺より長い長辺を有する矩形状の噛合い部を有し、前記矩形状の噛合い部により、前記第１部材と共に前記第１シートの第１部分及び前記第２シートの第２部分を噛み込むことで、前記第１部分及び前記第２部分を締結する第２部材と、前記第１部材と前記第２部材の少なくとも一方を、回動中心を中心として回動自在に支持する支持部と、を備え、前記矩形状の噛合い部は、前記長辺が前記回動中心の軸線に対して傾斜するように配置されている、ことを特徴とする。
【手続補正７】
【補正対象書類名】明細書
【補正対象項目名】００８５
【補正方法】変更
【補正の内容】
【００８５】
１００…シート処理装置（フィニッシャ）、１０２…綴じユニット、１０２Ｂ…綴じ部、９００…画像形成装置、１０１２，１０１２Ａ…第１部材（下アーム）、１０１３，１０１３Ａ…第１凹凸部（下歯ブロック）、１０２１４…複数の凹凸が設けられた第１の面（下歯）、１０２９…第２部材（上アーム）、１０２１２…第２凹凸部（上歯ブロック）、１０２１０，１０２１０Ａ…複数の凹凸が設けられた第２の面、矩形状の噛合い部（上歯）、１０２１１…支持部（揺動軸）、１０２１４Ｌ…第１の凸部、第２の凸部及び第３の凸部の回動中心側の端を通る仮想線、Ａ…回動中心の軸線（揺動軸の中心線）、Ｂ…第１の凸部、第２の凸部及び第３の凸部の中点を結んだ仮想線（歯型の中心線）、Ｐ…シート、ＰＡ…シート束、Ｌ１…第３の距離（一つの凸部における回動中心側の端と回動中心との間の距離）、Ｌ２…第１の距離（他の凸部の回動中心側の端と回動中心との距離）。